(57)【要約】【課題】既存軌道から取り外した架線を移し替え、軌道作業に支障しない遠隔位置からの操作で、適時に、新設軌道上の適正位置へ移動させる架線の可動支持装置を提供する。【解決手段】架線の可動支持装置は、線路切替工事箇所の上方に、軌道Ｒ１、Ｒ２をその延長方向左右に横断するように水平に架設されるビームＢと、これに水平方向左右及び垂直方向上下に移動自在に支持される垂直伸縮ブーム７、屈曲アーム１１のような可動支持部材１３とを具備する。可動支持部材１３は、架線Ｍ，Ｔを吊支し、油圧シリンダ４のような水平駆動手段と油圧シリンダ８のような垂直駆動手段により、地上からの遠隔制御で水平方向、垂直方向に移動し、架線Ｍ，Ｔを新設軌道Ｒ２上の適正位置に配置して支持する。【選択図】図１
2019156189.tif 000002
【特許請求の範囲】
【請求項１】
軌道を移設する軌道作業と架線を移設する架線作業とを含む線路切替工事箇所において、前記軌道作業に支障しない位置で前記吊架線とトロリ線を支持すると共に、前記軌道作業の進行中及び又は完了後に前記吊架線とトロリ線を適正な移設位置へ移動する装置であって、
前記線路切替工事箇所の上方に、前記軌道をその延長方向左右に横断するように水平に架設されるビームと、
前記ビーム上に水平方向左右及び垂直方向上下に移動自在に支持され、前記吊架線とトロリ線を吊支する可動支持部材と、
地上からの遠隔制御で前記可動支持部材を水平方向に移動させる水平駆動手段と、
地上からの遠隔制御で前記可動支持部材を垂直方向に移動させる垂直駆動手段とを具備することを特徴とする電車線路用架線の可動支持装置。
【請求項２】
前記ビーム上に固定される支持フレームと、
前記支持フレーム上に、左右方向に水平に移動自在に支持される水平移動部材と、
前記支持フレーム上に支持され、地上からの遠隔制御で前記水平移動部材を移動させる前記水平駆動手段と、
前記水平移動部材に垂直方向に移動自在に支持される垂直移動部材と、
前記水平移動部材に支持され、地上からの遠隔制御で前記垂直移動部材を移動させる前記垂直駆動手段とを具備し、
前記可動支持部材が、前記垂直移動部材に支持されることを特徴とする請求項１に記載の電車線路用架線の可動支持装置。
【請求項３】
前記支持フレーム上に左右方向に水平に延びるように固定され、地上から遠隔で作動油の送排油が制御される水平油圧シリンダと、
前記水平油圧シリンダのピストンロッドに結合され前記支持フレーム上に左右方向に水平に移動自在に支持される前記水平移動部材と、
上部において前記水平移動部材に固定され、垂直方向に下方へ伸縮自在の垂直伸縮ブームと、
前記水平移動部材に垂直方向に延びるように固定され、ピストンロッドが前記伸縮ブームの下端部に連結され、地上から遠隔で作動油の送排油が制御される垂直油圧シリンダと、
前記伸縮ブームの下端部に係止され、当該伸縮ブームの下方位置において前記吊架線を吊支する吊架線吊支部材と、
基端側が前記伸縮ブームの下端部の左右いずれかの側面に選択的に結合可能に構成され、前記伸縮ブームの側方へ水平に延出する水平部と当該水平部の先端から屈曲して垂直下方へ延びる垂直部とを具備する屈曲アームと、
前記屈曲アームの垂直部に係止され、前記吊架線の垂直下方位置において前記トロリ線を把持するトロリ線引き止め部材とを具備することを特徴とする請求項２に記載の電車線路用架線の可動支持装置。
【請求項４】
前記既設軌道の上方に架設されている前記架線の支持を外す工程と、
支持を外された前記架線を前記可動支持部材に支持する工程と、
前記軌道作業の進行中及び又は完了後、地上の遠隔位置から前記水平駆動手段と前記垂直駆動手段を制御し、前記可動支持部材を上下左右に移動させることによって、当該可動支持部材に支持された前記架線を新設軌道上の適正位置に配置する工程とを含むことを特徴とする請求項１に記載の架線支持装置を用いた線路切替工事方法。
【発明の詳細な説明】
【技術分野】
【０００１】
本発明は、電気鉄道の線路切替工事の際に用いられる架線の可動支持装置と、これを用いた線路切替工事の方法に関する。
【背景技術】
【０００２】
電気鉄道の線路切替工事においては、既設軌道を撤去してその側方に新たな軌道を設置する軌道作業と、既設軌道上の吊架線及びトロリ線等の架線を撤去し、新設軌道上へ架線を張り渡す架線作業とが含まれる。これらの作業は、短い列車間合いでの作業となるので、作業時間の短縮が求められる。しかしながら、架線作業は軌道に、架線作業用の軌陸車等を載線して行うため、軌道作業中にその上方での架線作業を同時に行うことができない。例えば、既存軌道上の架線の支持を外して地上へ降ろした後、既存軌道の撤去作業等を行い、新設軌道の設置工事が完了した後、新設軌道上への架線の張り渡しや、その位置決め作業を行う。このため、新設軌道の設置工事が完了するまで架線の張り渡しや位置決め作業が開始できないことから、所定の夜間の作業間合いでは作業が完了せず、列車の運休などよる間合いの拡大などの対応を要することがあるという課題があった。
既存軌道上の可動ブラケット等の支持設備から取り外した架線をそれの隣接位置で別の架線支持装置に移し替え、軌道作業に支障しない遠隔位置からの操作によって、上下、左右に移動させ、新設軌道上の適正位置に配置できれば、既存軌道の撤去作業、新設軌道の設置作業の完了前に、架線の位置決め作業ができるため、間合いの拡大をせず、所定の夜間の作業間合い内で作業が完了できる。しかし、従来、そのような架線支持設備はなかった。
一方、既設線路区域の片側に隣接して、土木工事を行う際、工事の妨げとならないように既設線路区域の架線を反対側へ退避させる架線の側方退避装置が特許文献１に記載されている。この装置は、既設線路区域とそれに隣接する工事区域とを横断して上方空間に配置され両端を柱に支持されたビームと、ビーム下面へ平行に固着され柱附近から所要の長さ伸長するレールと、柱の下部に定置されたウインチと、ウインチのプーリから立上がりレールの両端のプーリに掛け回されたエンドレスワイヤと、レールに沿い進退可能でエンドレスワイヤの一部に係止された移送車と、碍子を介し移送車から懸垂された架線とから成る。
また、車高の異なる２種以上の電車を同じ軌道上で、牽引車両なしで走行させることができるように、車高に合わせて架線を上下の異なる高さ位置で支持する電車線支持装置が特許文献２に記載されている。この装置は、垂直に立設された支柱と、この支柱に昇降自在に係合し支持部材を介して架線を支持する昇降部材と、この昇降部材を昇降させる駆動手段とを具備する。昇降部材で、高さの異なる所定の上下位置において架線を支持する。昇降部材は、支柱に沿って上下方向に伸びるように設けられたガイドレールに昇降自在に係合しており、そこから軌道側へ張り出す可動ブラケットや、これに支持される曲引き金具等の支持部材を介して架線を支持する。支柱に取り付けられたモータと、このモータと昇降部材とをつなぐチェーン伝動機構により昇降部材が昇降する。
【先行技術文献】
【特許文献】
【０００３】
【特許文献１】実公平３−１０４４３８号公報
【特許文献２】特開２００３−１１７０１号公報
【発明の概要】
【発明が解決しようとする課題】
【０００４】
上記特許文献に記載された装置は、それぞれ架線を上下方向又は左右方向のいずれか一方に移動させる単機能のものである。特許文献１に記載された装置は、単に架線を退避位置へ引き止めるものであるから、退避位置で架線を利用に供することを想定していない。したがって、いずれの装置も、線路切替工事の際の架線の支持や移動、移動位置での架線の使用を可能とする構造のものではない。
したがって、本発明は、既存軌道上から取り外した架線を容易に移し替えることができ、この架線を適時に、軌道作業に支障しない遠隔位置からの操作で上下、左右に移動させ、使用に耐える適正位置へ配置できる架線支持装置を提供することを目的としている。
【課題を解決するための手段】
【０００５】
以下、添付図面の符号を参照して説明するが、本発明はこれに限定されるものではない。
上記課題を解決するための、本発明の架線支持装置は、軌道を移設するための軌道作業と、それの上方に架設される吊架線Ｍ、トロリ線Ｔ等の架線を移設する架線作業とを含む線路切替工事箇所に設置されるもので、既設軌道Ｒ１上から取り外した架線Ｍ，Ｔを支持すると共に、軌道作業の進行中、あるいはその完了後の適時に、架線Ｍ，Ｔを所望の位置へ移動する装置である。この架線支持装置は、線路切替工事箇所の上方に、軌道Ｒ１，Ｒ２をその延長方向左右に横断するように水平に架設されるビームＢと、ビームＢ上に水平方向左右及び垂直方向上下に移動自在に支持される垂直伸縮ブーム７、屈曲アーム１１のような可動支持部材１３とを具備する。可動支持部材１３は、架線Ｍ，Ｔを吊支し、油圧シリンダ４のような水平駆動手段と油圧シリンダ８のような垂直駆動手段により、地上からの遠隔制御で水平方向、垂直方向に移動し、架線Ｍ，Ｔを新設軌道Ｒ２上の適正位置に配置して支持する。
【発明の効果】
【０００６】
本発明の架線の可動支持装置によれば、既設軌道Ｒ１上から外した架線Ｍ，Ｔを予めこれに支持しておくことにより、地上で行われる軌道作業の進捗にかかわらず、これに支障しない遠隔位置からの操作で架線Ｍ，Ｔを新設軌道Ｒ２上の適正位置にまで移動させ、そのまま使用に供することができる。
【図面の簡単な説明】
【０００７】
【図１】本発明に係る架線支持装置の概略的正面図である。
【図２】図１の架線支持装置の一部の正面図である。
【図３】図１の架線支持装置の他の一部の正面図である。
【図４】図１の架線支持装置の一部の平面図である。
【図５】図１の架線支持装置の移動後の一部の正面図である。
【図６】図１の架線支持装置の移動後の一部の平面図である。
【発明を実施するための形態】
【０００８】
図面を参照して本発明の実施の形態を説明する。
図１において、既存軌道Ｒ１の工事箇所と新設軌道Ｒ２の工事箇所とを軌道の延長方向左右に横切ってビームＢが水平に配置され、その両端は支柱Ｐに支えられている。吊架線（き電吊架線を含む）Ｍ及びトロリ線Ｔは、それぞれ軌道Ｒ１、Ｒ２の上方をビームＢと直角に伸長する。軌道Ｒ１上の吊架線Ｍ及びトロリ線Ｔは、ビームＢ上の支持フレーム１に支持された、水平方向左右及び垂直方向上下に移動自在の可動支持部材１３に支持される。
【０００９】
支持フレーム１は、ビームＢの側面に、取り付け金具２を介して固着される。支持フレーム１は、図２、図４に示すように、ビームＢの延長方向に長い直方体かご状の部材であり、鋼材を組んでなる。
【００１０】
図２に示すように、支持フレーム１上に、ブラケット３を介して、左右方向に水平に延びるように水平油圧シリンダ４が枢支される。水平油圧シリンダ４は、テレスコピック式のピストンロッド４ａを具備する。図１に示すように、水平油圧シリンダ４は、地上の油圧ポンプユニット５からの作動油の送排油により遠隔で制御される。
【００１１】
図２、図４に示すように、支持フレーム１上に、左右方向に水平に移動自在に水平移動部材６が支持される。水平移動部材６は、支持フレーム１を構成する下部の一対のレール材１ａに係合し、これに沿って転動する車輪６ａを有する。
【００１２】
図２、図４において、水平移動部材６の右端は、垂直伸縮ブーム７に結合される。垂直伸縮ブーム７は、上部の基本ブーム７ａと、その内側にテレスコピック式に順次組み込まれる２段ブーム７ｂ、３段ブーム７ｃとを具備し、垂直方向下方へ伸縮自在である。基本ブーム７ａ、２段ブーム７ｂ、３段ブーム７ｃのいずれも四角筒状である。上部の基本ブーム７ａの左側面に、ブラケット７ｄを介してピストンロッド４ａが枢着される。したがって、水平移動部材６と垂直伸縮ブーム７とは一体に水平方向左右に移動する（図２、図５）。
【００１３】
基本ブーム７ａの反対側の側面に、ブラケット７ｅを介して垂直油圧シリンダ８が枢支される。図１に示すように、垂直油圧シリンダ８は、地上の油圧ポンプユニット５からの作動油の送排油による遠隔制御でピストンロッド８ａを垂直上下方向へ伸縮させる（図２、図５）。図３に示すように、ピストンロッド８ａは、３段ブーム７ｃの下端部の側面に直角方向に突出するように結合された接続部材９の上部に枢支される。
【００１４】
３段ブーム７ｃの下端部の引き手７ｆには、吊架線支持部材１０が枢支される。吊架線支持部材１０に、垂直伸縮ブーム７の下方位置において、２本のき電吊架線Ｍが吊支される。
【００１５】
３段ブーム７ｃの下端部には、接続部材９を介して屈曲アーム１１の基端が結合される。屈曲アーム１１は、架線の引き止め方向に応じて、垂直伸縮ブーム７の下端部の左右いずれかの側面に選択的に結合され、側方へ水平に延出する水平部１１ａと、それの先端から屈曲して垂直下方へ延びる垂直部１１ｂとを具備する。
【００１６】
屈曲アーム１１の垂直部１１ｂに、トロリ線引き止め部材１２が枢支される。トロリ線引き止め部材１２は、先端側が吊架線支持部材１０の垂直下方位置まで延出して、吊架線Ｍの下方位置においてトロリ線Ｔを把持する。
【００１７】
以上のように構成された架線の可動支持装置を用いて線路切替工事を行う場合には、垂直伸縮ブーム７の下端の位置を上下、左右に調整して、吊架線支持部材１０、トロリ線引き止め部材１２を既設軌道Ｒ１の上方に架設されている吊架線Ｍ及びトロリ線Ｔの近傍位置に配置する。例えば、切替日の前日の列車間合いに、既設軌道Ｒ１の上の吊架線Ｍ及びトロリ線Ｔの支持を外し、この可動支持装置の吊架線支持部材１０、トロリ線引き止め部材１２に引き止めておき、翌日の電車への給電を可能とする。次の列車間合いに行われる線路切替工事においては、軌道作業に支障しない地上の油圧ポンプユニット５からの遠隔操作で、水平油圧シリンダ４、垂直油圧シリンダ８を動作させ、吊架線Ｍ及びトロリ線Ｔを適時に所望位置へ移動させる。最終的に、吊架線Ｍ及びトロリ線Ｔを新設軌道Ｒ２上の適正位置に配置し、翌日走行する電車への給電を可能とする。この可動支持装置により新設軌道Ｒ２上に配置された吊架線Ｍ及びトロリ線Ｔは、例えば翌日の列車間合いにおいて、当該軌道Ｒ２上で作業車両を走行させて、新たに設置された架線支持設備へ移し替えることができる。この間、列車の運休などよる間合いの拡大を必要としない。
以上、単一の架線支持装置に注目して説明したが、線路切替工事箇所の延線方向の距離に応じて、この架線支持装置を延線方向に所定間隔を置いて複数設置して工事を行うことができる。
【符号の説明】
【００１８】
１      支持フレーム
１ａ    レール材
２      取り付け金具
３      ブラケット
４      水平油圧シリンダ
４ａ    ピストンロッド
５      油圧ポンプユニット
６      水平移動部材
７      垂直伸縮ブーム
７ａ    基本ブーム
７ｂ    第２ブーム
７ｃ    第３ブーム
７ｄ    ブラケット
７ｅ    ブラケット
７ｆ    引き手
８      垂直油圧シリンダ
８ａ    ピストンロッド
８      垂直油圧シリンダ
９      接続部材
１０    吊架線支持部材
１１    屈曲アーム
１１ａ  水平部
１１ｂ  垂直部
１２    トロリ線引き止め部材
１３    可動支持部材
Ｂ      ビーム
Ｐ      柱
Ｒ１    既設軌道
Ｒ２    新設軌道
Ｍ      吊架線（き電吊架線）
Ｔ      トロリ線
【図１】
2019156189.tif 000003
【図２】
2019156189.tif 000004
【図３】
2019156189.tif 000005
【図４】
2019156189.tif 000006
【図５】
2019156189.tif 000007
【図６】
2019156189.tif 000008